(57)【要約】 【課題】  洗ったパフを効率良く迅速にしかも変形させることなく干すことができる、パフ乾燥用のホルダーを得る。【解決手段】  通気性と通水性とを備えた柔軟なメッシュ生地からなる一対のホルダー部片２ａ，２ａを開閉自在に連結することにより、これらのホルダー部片２ａ，２ａ間に化粧用パフ２０のための収容部３を形成し、上記ホルダー部片２ａ，２ａには、両ホルダー部片を閉じた状態に止着するための止着具１０ａ，１０ｂと、ハンガーのピンチ２１に吊り掛けるための吊支手段１１とを設け、さらに、両側辺５，５における底辺４寄りの位置に相互に接合された部分接合部７を形成して、上記収容部３の下端にポケット部３ａを形成する。【選択図】        図３
2005143736.tif 000002
【特許請求の範囲】
【請求項１】
通気性と通水性とを有する柔軟なメッシュ生地により形成された一対の開閉自在のホルダー部片を有し、これらのホルダー部片間に化粧用パフを収容するための収容部が形成されていることを特徴とする化粧用パフの乾燥用ホルダー。
【請求項２】
上記一対のホルダー部片が、底辺と左右の側辺と上辺とを有していて、底辺同士が相互に連結されると共に、両側辺における底辺寄りの位置に、相互に接合されることによって両ホルダー部片の開放を制限する部分接合部を有し、この部分接合部と上記底辺とによって、該ホルダー部片の下端部寄りの位置に、上記収容部の一部となるポケット部が形成されていることを特徴とする請求項１に記載の乾燥用ホルダー。
【請求項３】
上記一対のホルダー部片を閉じた状態に止着するための止着手段を有することを特徴とする請求項１又は２に記載の化粧用パフの乾燥用ホルダー。
【請求項４】
ハンガー等の支持部材に吊り掛けるための吊支手段を有することを特徴とする請求項１から３までの何れかに記載の化粧用パフの乾燥用ホルダー。
【発明の詳細な説明】
【技術分野】
【０００１】
本発明は、化粧用のパフを洗って干すときに使用する乾燥用のホルダーに関するものである。
【背景技術】
【０００２】
一般に、化粧用のパフはスポンジにより形成されていて、使用を重ねるにつれてファンデーションが付着したままになって使いにくくなるため、時々洗ってきれいにするようにしている。
ところが、パフを洗ったあと乾燥させる際に、台などの上にそれを直接置くと、台と接触する部分に水分が溜まって非常に乾燥しにくい。一方、パフをハンガー等のピンチに直接挟んで干す方法は、乾燥が早いという利点はあるが、乾燥後にピンチ痕が残り、見栄えが悪いだけでなく、一部だけが局部的に圧縮された状態に変形して使いにくくなると言う問題がある。
【発明の開示】
【発明が解決しようとする課題】
【０００３】
本発明の課題は、洗ったパフを効率良く迅速にしかも変形させることなく干すことができる、パフ乾燥用のホルダーを提供することにある。
【課題を解決するための手段】
【０００４】
上記課題を解決するため、本発明のホルダーは、通気性と通水性とを有する柔軟なメッシュ生地により形成された一対の開閉自在のホルダー部片を有し、これらのホルダー部片間に化粧用パフを収容するための収容部が形成されていることを特徴としている。
【０００５】
本発明において好ましくは、上記一対のホルダー部片が、底辺と左右の側辺と上辺とを有していて、底辺同士が相互に連結されると共に、両側辺における底辺寄りの位置に、相互に接合されることによって両ホルダー部片の開放を制限する部分接合部を有し、この部分接合部と上記底辺とによって、該ホルダー部片の下端部寄りの位置に、上記収容部の一部となるポケット部が形成されていることである。
【０００６】
本発明においては、上記一対のホルダー部片を閉じた状態に止着するための止着手段を設けることも、また、ハンガー等の支持部材に吊り掛けるための吊支手段を設けることもできる。
【発明の効果】
【０００７】
メッシュ生地からなるホルダーは、排水性と通気性とに勝れているため、このホルダー内に洗ったパフを収容し、ハンガー等に吊り下げて干すことにより、上記パフを効率良く迅速に、しかもピンチ痕を付けることなく乾燥させることができる。
【発明を実施するための最良の形態】
【０００８】
図１〜３は本発明に係る乾燥用ホルダーの好ましい一つの実施形態を示すもので、このホルダー１は、通気性と通水性とを有する柔軟なメッシュ生地により開閉自在に形成された一対のホルダー部片２ａ，２ａを有していて、これらのホルダー部片２ａ，２ａの間に化粧用パフ２０を収容するための収容部３が形成されている。
【０００９】
上記一対のホルダー部片２ａ，２ａは、それぞれ底辺４と左右両側辺５，５と上辺６とを有していて、底辺４，４同士が相互に連結されると共に、両側辺５，５における底辺４寄りの位置に相互に接合された部分接合部７が形成され、この部分接合部７と上記底辺４とによって、該ホルダー部片２ａ，２ａの下端部寄りの位置、換言すれば上記収容部３の下端部に連なる位置に、パフ２０の一部が収容されるポケット部３ａが形成されている。上記部分接合部７は、一対のホルダー部片２ａ，２ａを開放してパフ２０を出し入れする際に、該ホルダー部片２ａ，２ａの開放を制限して収容部３の下端に上記ポケット部３ａを形成させるもので、このポケット部３ａにパフ２０の一部が保持されることによって該パフ２０の脱落が防止される。従って、この部分接合部７によるポケット部３ａの形成によってパフ２０の出し入れが安全かつ容易に行われることになる。
なお、上記部分接合部７は、図示の例では側辺５の下端の底辺４にほぼ連なった位置に形成されているが、底辺４から若干離間する位置に形成しても良い。
【００１０】
また、図示した例では、上記一対のホルダー部片２ａ，２ａが、一枚のメッシュ生地を中央部で２つに折り曲げることにより一体に形成され、折り曲げた部分が共通の底辺４になっている。そして、左右の両側辺５，５と上辺６とに縁布９が取り付けられている。しかし、一対のホルダー部片２ａ，２ａを個別に形成し、それらの底辺４同士を相互に結合しても良い。この場合、底辺４にも縁布９を取り付けることが望ましい。
【００１１】
更に、上記ホルダー部片２ａ，２ａの底辺４と両側辺５，５及び上辺６の形状は、図示した実施例では底辺４がほぼ直線状をなし、両側辺５，５と上辺６とがほぼ直線状か又は僅かに外向きに湾曲した形をしているが、各辺の形状、即ちホルダー部片２ａ，２ａの形状は、このようなものに限定されない。例えば、底辺４がほぼ直線状をなし、両側辺５，５と上辺６とが弧状に連なっていても良い。あるいは、底辺４と両側辺５，５と上辺６とが全体として弧状に連なっていても構わない。
【００１２】
また、上記メッシュ生地は、合成繊維や天然繊維等の細線からなる線条８ａ，８ｂを経緯に編組したものが好適に使用され、その網目の大きさは、排水性と通気性とを考慮すると、収容したパフ２０が脱落しない範囲内でできるだけ大きいことが望ましいが、網目が余り大きすぎると、線条８ａ，８ｂが他の物に引っ掛かったりし易くなるため、例えば、３〜１０ｍｍ四方程度の大きさであることが好ましい。しかし、メッシュ生地の線条の結合形態や網目形状等は特定のものに限定されるものではなく、排水性と通気性とに勝れた任意の形態のメッシュ生地を使用することができる。
【００１３】
上記一対のホルダー部片２ａ，２ａを閉じた状態に止着するため、これらホルダー部片２ａ，２ａの上端部中央位置には、止着手段を形成する相互に係脱自在の一対の止着具１０ａ，１０ｂが取り付けられている。これらの止着具１０ａ，１０ｂは、面ファスナーで形成されているが、ホックなどそれ以外の部材であっても良い。あるいは、ホルダー部片２ａ，２ａのメッシュ生地同士や縁布９，９同士を挟持したり相互に係止させたりする形式の適宜の止着具を用いることもできる。
【００１４】
また、上記一対のホルダー部片２ａ，２ａの何れか一方には、上辺６の中央位置に、ハンガーのピンチ２１や壁に打設した釘といったような適宜の支持部材に吊り掛けるための吊支手段１１が形成されている。この吊支手段１１は、上記縁布９の一部を外方に突出させることにより輪状に形成したものでも、該縁布と同様の布製素材や紐、針金といったような他の適宜部材で輪状又は直線状に形成したものであっても構わない。あるいは、上記支持部材を挟持するピンチ式又はクリップ式の吊支手段であっても良い。更には、該吊支手段１１の形態によっては、両方のホルダー部片２ａ，２ａにそれを取り付けることもできる。
【００１５】
上記構成を有する乾燥用ホルダー１は、図１及び図３に示すように、内部に化粧用パフ２０を収容し、ハンガーのピンチ２１に吊支手段１１を挟んで該ハンガーに吊り下げる。このとき、メッシュ生地からなる該ホルダー１は排水性と通気性とに勝れているため、該ホルダー１を介して内部のパフ２０の水切りが迅速かつ効率良く行われ、速やかに乾燥することになる。しかも、パフ２０を直接ピンチ２１に挟まないため、乾燥後にピンチ痕が付くこともない。
【００１６】
なお、図示した実施例では、一対のホルダー部片２ａ，２ａを閉じた状態に止着するための止着手段が設けられているが、上記メッシュ生地や縁布９によって両ホルダー部片２ａ，２ａに閉じる方向の癖が付けられている場合には、このような止着手段を特に設ける必要はない。また、上記吊支手段１１についても、その取り付けを省略し、上記メッシュ生地や縁布９等を直接ピンチ２１に挟んで吊り下げるよにすることも可能である。
【図面の簡単な説明】
【００１７】
【図１】本発明に係る乾燥用ホルダーの一実施例を示す正面図である。
【図２】図１のホルダーを開放した状態の斜視図である。
【図３】パフを収容して乾燥させる状態を示す断面図である。
【符号の説明】
【００１８】
１      ホルダー
２ａ      ホルダー部片
３      収容部
３ａ      ポケット部
４      底辺
５      側辺
６      上辺
７      部分接合部
１０ａ，１０ｂ      止着部
２０      パフ
２１      ピンチ
【図１】
2005143736.tif 000003
【図２】
2005143736.tif 000004
【図３】
2005143736.tif 000005